(57)【要約】【課題】  表示パネルに斬新な立体感を持たせることが可能な計器装置を提供する。【解決手段】  指針４０と、指針４０の背後に配置される表示パネル５０と、表示パネル５０の背後に配置され、表示パネル５０に沿って延びる覆い部８５を有する枠体８０とを備え、表示パネル５０が覆い部８５の少なくとも一部を透視可能とする透過部５３を備えてなる計器装置において、透過部５３に対応する覆い部８５領域には、観察者が透過部５３を通じて所定の装飾模様Ｄを視認可能とするような装飾模様形成手段９０が設けられてなる。【選択図】  図２
2009047560.tif 000002
【特許請求の範囲】
【請求項１】
指針と、前記指針の背後に配置される表示パネルと、前記表示パネルの背後に配置され、前記表示パネルに沿って延びる覆い部を有する枠体とを備え、
前記表示パネルが前記覆い部の少なくとも一部を透視可能とする透過部を備えてなる計器装置において、
前記透過部に対応する前記覆い部領域には、観察者が前記透過部を通じて所定の装飾模様を視認可能とするような装飾模様形成手段が設けられてなることを特徴とする計器装置。
【請求項２】
前記透過部内に前記指針の動作に対応する表示部を設けたことを特徴とする請求項１記載の計器装置。
【請求項３】
前記装飾模様形成手段は、その断面形状が略鋸歯形状をなすように前記覆い部の表面に設けられた凹凸部であることを特徴とする請求項１記載の計器装置。
【発明の詳細な説明】
【技術分野】
【０００１】
本発明は、例えばオートバイや自動車をはじめとする各種車両に搭載される計器装置に関する。
【背景技術】
【０００２】
従来、この種の計器装置にあっては、例えば下記特許文献１に記載されてなるものが知られている。かかる特許文献１に記載の計器装置は、駆動装置の回転軸によって軸回り回転する指針と、この指針の背後に配置され、指針によって指示される数字、目盛等の表示部を有する表示パネルと、表示部と所定の空間部を有するように表示パネルの背後に配置され、表示パネルに沿って延びる皿形状の環状壁からなる覆い部を有するケース体（枠体）とを備えてなる。
【０００３】
この場合、表示パネルは、前述した表示部と、表示部の背景をなす背景部と、ケース体における覆い部の少なくとも一部が透けて見えるようにするために背景部を部分的に抜き形成してなる透過部とを備えてなり、かかる透過部は、表示パネルにおける背景部の抜き印刷部分により形成されてなる。そして、例えば、この透過部を略円弧形状からなる帯状に形成し、かかる帯状の透過部内に表示部の目盛を設けた場合、目盛の背後側であって透過部に対応する覆い部領域が透視可能な構成となる。
【０００４】
また、ケース体の覆い部は、駆動装置の回転軸を中心として、それから遠ざかるに従って表示パネルに近接する皿形状の環状壁からなり、表示パネルの背面側を空間部を介して覆うように形成されてなる。このため、表示パネル（計器装置）を正視したとき、前述した覆い部領域において、透過部から覆い部までの距離が大きい側（回転軸に近い側）は覆い部表面の色みが弱く暗くなって視認され、一方、透過部から覆い部までの距離が小さい側（表示パネルに近い側）は覆い部表面の色みが強く明るくなって視認されることにより、覆い部（つまり、前記覆い部領域）が明暗を伴って視認され、これにより表示パネル（表示部の目盛）が奥行き感を持って視認されるというものである。
【特許文献１】特開２００２−３５７４６１号公報
【発明の開示】
【発明が解決しようとする課題】
【０００５】
上述した従来の計器装置の場合、表示パネルに表示部の指標である目盛とこれを包囲する帯状の透過部を設けるとともに、透過部とその背後に位置するケース体の覆い部（前述した覆い部領域に相当する）との間に空間部を設け、この状態で表示パネルを正視したときに、表示パネル（表示部の目盛）が立体感（奥行き感）を有して視認されるというものである。しかしながら、このように表示パネルに立体感を持たせることができでも、その立体感は覆い部が単なる表示部（目盛）の背景部分に過ぎないことから単純なものとならざるを得なく、面白みや斬新さに欠けるものであった。
そこで本発明は、前述の課題に対して対処するため、表示パネルに斬新な立体感を持たせることが可能な計器装置の提供を目的とするものである。
【課題を解決するための手段】
【０００６】
本発明は、指針と、前記指針の背後に配置される表示パネルと、前記表示パネルの背後に配置され、前記表示パネルに沿って延びる覆い部を有する枠体とを備え、前記表示パネルが前記覆い部の少なくとも一部を透視可能とする透過部を備えてなる計器装置において、前記透過部に対応する前記覆い部領域には、観察者が前記透過部を通じて所定の装飾模様を視認可能とするような装飾模様形成手段が設けられてなることを特徴とする。
【０００７】
また本発明は、前記透過部内に前記指針の動作に対応する表示部を設けたことを特徴とする。
【０００８】
また本発明は、前記装飾模様形成手段は、その断面形状が略鋸歯形状をなすように前記覆い部の表面に設けられた凹凸部であることを特徴とする。
【発明の効果】
【０００９】
本発明によれば、初期の目的を達成でき、表示パネルに斬新な立体感を持たせることが可能な計器装置を提供できる。
【発明を実施するための最良の形態】
【００１０】
図１，図２は本発明の実施形態を示すもので、以下、これらに基づいて本発明の実施形態を例えば自動車のごとき車両に搭載される速度計からなる計器装置に適用した場合について説明する。なお、図１は本発明の実施形態による計器装置の正面図、図２は図１のＡ−Ａ断面図である。
【００１１】
図１，図２において、本実施形態による計器装置Ｍは、回路基板１０と、この回路基板１０に導通装着され回転軸２０が前方に延びる駆動装置３０と、回転軸２０にて回転駆動される指針４０と、この指針４０の背後に位置して回路基板１０上に配置される表示パネル５０と、指針４０を照明する指針用光源６０と、表示パネル５０を照明する表示用光源７０と、回路基板１０と表示パネル５０との間に配置される枠体（ケース体）８０とから構成されてなる。
【００１２】
回路基板１０は、例えばガラスエポキシ系基材に配線パターン（図示せず）を施した硬質回路基板からなり、指針用光源６０と、表示用光源７０と、駆動装置３０の駆動・制御を行う駆動手段（図示せず）と、抵抗、コンデンサ等の各種回路部品（図示せず）とが前記配線パターンに導通接続されてなる。
【００１３】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続されてなる。
【００１４】
指針４０は、透光性合成樹脂からなり、表示パネル５０の後述する表示部を指示するように線状に延びる指示部４１と、この指示部４１の回転中心部外周を覆う遮光性合成樹脂からなる指針キャップ４２とを備えてなる。また、指示部４１の前記回転中心部には、背後に配置された指針用光源６０から発せられる光を受光しその光を指示部４１の先端側に反射導光する受光部４３が形成されてなる。
【００１５】
表示パネル５は、指針４０の回転軌道に沿った円弧状の配列形状を有し指針４０の回転軌道（動作）に対応して設けられる速度数字５１ａ、速度目盛５１ｂからなる表示部５１と、この表示部５１の速度数字５１ａの背景を形成する背景部５２とを備えてなる。また、５３は、速度数字５１ａの外側で速度目盛５１ｂ全体を包囲するように帯状に形成され、背景部５２を枠体８０に設けられる後述する装飾模様形成手段の形状に対応させて抜き形成してなる透過部である。
【００１６】
なお、各速度数字５１ａの外側において各速度数字５１ａに対応して設けられる各速度目盛５１ｂは、速度計における速度目盛５１ｂ全体の配列中心（換言すれば指針４０の回転中心）に向けて延びる棒状形状からなる。
【００１７】
また、表示部５１，背景部５２は、透光性合成樹脂からなる薄板状の基材５４の前面に形成された印刷層からなり、表示部５１は青色系の透光性インクにより形成され、背景部５２は黒色系の遮光性インクにより形成されてなる。これら指標部５１，背景部５２の各印刷層はスクリーン印刷等の手段を用いて印刷形成されてなる。
【００１８】
そして、透過部５３は、背景部５２を形成する遮光性インクを前記装飾模様形成手段の形状に対応させて抜き印刷することにより、背景部５２が形成されない抜き部からなり、従って透過部５３は基材５４が部分的に露出し、これにより観察者は、透過部５３を通じて速度目盛５１ｂの後方に位置する前記装飾模様形成手段（枠体８０の後述する覆い部）を透視できるようになっている。なお、この場合、透過部５３と速度目盛５１ｂとの位置関係は、透過部５３内に速度目盛５１ｂを設けた構成となっている。なお、５５は、回転軸２０と指針４０との連結箇所に対応する貫通部である。
【００１９】
指針用光源６０は、例えば赤色光を発するチップ型発光ダイオードからなり、指針４０の前記回転中心部に対応する回路基板１０の前方側に複数個配置されてなる。
【００２０】
表示用光源７０は、例えば赤色光を発するチップ型発光ダイオードからなり、枠体８０の後述する第１の反射部に対応する回路基板１０の前方側に複数個配置されてなる。
【００２１】
枠体８０は、白色の合成樹脂からなり、回路基板１０と表示パネル５０との間に位置して表示パネル５０を保持する保持体としての機能、指針用光源６０や表示用光源７０を収納するハウジングとしての機能、指針用光源６０や表示用光源７０から発せられる照明光を前方側に反射する反射体としての機能等を有してなる。
【００２２】
かかる枠体８０は、表示パネル５０の貫通部５５に対応し指針用光源６０からの照明光を指針４０の受光部４３に導く開口部８１を有する筒状部８２と、筒状部８２を取り巻くように表示パネル５０側に傾斜して延び表示用光源７０と対向する第１の反射部８３と、表示用光源７０を収納する開放部８４と、この開放部８４から外周に向けて表示パネル５０に近接する皿形状の環状壁からなる覆い部（第２の反射部）８５と、この覆い部８５の外周を取り巻く周壁部８６とを備えてなる。
【００２３】
ここで、覆い部８５は、回転軸２０（指針４０の前記回転中心部）を中心として、それから遠ざかるに従って表示パネル５０に近接する湾曲形状からなり、表示パネル５０の背面側を空間部Ｓを介して覆うように形成されてなる。そして、この空間部Ｓを介して透過部５３に対応する覆い部８５の表面箇所が透過部５３を通じて観察者側から透視可能な構成となっている。この際、観察者は、青色の速度目盛５１ｂの背景部分として、透過部５３に対応する覆い部８５の表面箇所（白色の樹脂表面部分）を視認することができる。
【００２４】
ところで、本発明の特徴点は、この覆い部８５の表面箇所（換言すれば、透過部５３に対応する覆い部８５領域）に、観察者が透過部５３を通じて例えば図１に示すような速度目盛５１ｂの背景をなす略同心円状の縞模様（所定の装飾模様）Ｄを視認可能とするような装飾模様形成手段９０が設けられているという点である。
【００２５】
かかる装飾模様形成手段９０は、例えばその断面形状が、略鋸歯形状をなすように、透過部５３に対応する覆い部８５の表面箇所に設けられてなる。詳しくは、透過部５３に対応する覆い部８５の表面側箇所には、空間部Ｓ側に略鋸歯状に突出する複数の突出部９１と隣接する突出部９１間に位置する窪み部９２とでなる鋸歯部（凹凸部）９３が装飾模様形成手段９０として形成されてなる。
【００２６】
なお、本実施形態では、突出部９１の頂点と、この突出部９１の頂点部分から真下に位置してなる窪み部９２部分とを結ぶ線は、回転軸２０の軸線と略平行となっているものとする。すると、枠体８０単体を正視したときに、鋸歯部９３は、回転軸２０の前記軸線を中心とする略同心円弧状の縞模様Ｄとなって見えることになる。
【００２７】
以上の各部により、計器装置Ｍが構成されてなる。かかる実施形態によれば、覆い部８５は、回転軸２０を中心として、それから遠ざかるに従って表示パネル５０に近接する湾曲形状からなり、表示パネル５０の背面側を空間部Ｓを介して覆うように形成されてなる。このため、表示パネル５０（計器装置Ｍ）を正視したとき、透過部５３から覆い部８５までの距離が大きい側（回転軸２０に近い側）は覆い部８５表面の色みが弱く暗くなって視認され、透過部５３から覆い部８５までの距離が小さい側（表示パネル５０に近い側）は覆い部８５表面の色みが強く明るくなって視認されることにより、速度目盛５１ｂの設けられた透過部５３に対応する覆い部８５領域が明暗を伴って視認され、これにより表示パネル５０が奥行き感を持って視認される。
【００２８】
さらに本実施形態の場合、帯状の透過部５３に対応する覆い部８５領域には、観察者が透過部５３を通じて速度目盛５１ｂの背景をなす縞模様Ｄを視認可能とするような鋸歯部９３が装飾模様形成手段９０として設けられてなる。このため、従来のように透過部５３に対応する覆い部８５領域を単純な面とせずに、この覆い部８５領域を本実施形態のごとき断面略鋸歯形状の鋸歯部９３として設けてなることで、表示パネル５０の奥行き感が、鋸歯部９３の造形に伴う縞模様Ｄによって強調された奥行き感を有するように観察者側から視認され、これにより表示パネル５０に斬新さや面白みのある奥行き感（立体感）を持たせることが可能となる。
【００２９】
以上のように本実施形態では、指針４０と、指針４０の背後に配置される表示パネル５０と、表示パネル５０の背後に配置され、表示パネル５０に沿って延びる覆い部８５を有する枠体８０とを備え、表示パネル５０が覆い部８５を透視可能とする透過部５３を備えてなる計器装置Ｍにおいて、透過部５３に対応する覆い部８５領域には、観察者が透過部５３を通じて縞模様Ｄを視認可能とするような装飾模様形成手段９０が設けられてなるものである。また、透過部５３内に指針４０の動作に対応する速度目盛５１ｂを設けてなるとともに、装飾模様形成手段９０は、その断面形状が略鋸歯形状をなすように覆い部８５の表面に設けられた鋸歯部９３からなる。従って、表示パネル５０の奥行き感が、縞模様Ｄによって強調された奥行き感を有するように観察者側から視認され、これにより表示パネル５０に斬新さや面白みのある奥行き感を持たせることが可能となる。
【００３０】
また本実施形態では、速度数字５１ａの外側に速度目盛５１ｂを設け、この速度目盛５１ｂ全体を包囲するように帯状の透過部５３が設けられてなる例について説明したが、例えば帯状の透過部５３を、各速度目盛５１ｂの一部を包囲する（具体的には速度目盛５１ｂが背景部５２と透過部５３とを跨ぐように速度目盛５１ｂの一部が透過部５３に位置するとともに速度目盛５１ｂの残りの部分が背景部５２に位置する）ような構成としてもよい。さらには、透過部５３を、速度目盛５１ｂ全体ではなく速度数字５１ａ全体を包囲するような構成や、速度数字５１ａ並びに速度目盛５１ｂの両方を包囲するような構成としてもよい。
【００３１】
また本実施形態では、透過部５３内に速度目盛５１ｂが設けられてなる例について説明したが、例えば速度目盛５１ｂを透過部５３内に設けずに、表示部５１（速度目盛５１ｂ）の外周を取り巻くように帯状の透過部５３を設けた場合であっても、本実施形態と同様の作用効果を得ることができる。
【００３２】
また本実施形態では、鋸歯部９３が、覆い部８５の表面に形成された複数の突出部９１と、窪み部９２とでなる例について説明したが、鋸歯部９３の形状は、観察者が透過部５３を通じて縞模様Ｄを視認可能な形状であれば、あらゆる形状を採用することが可能であり、例えば各突出部９１の断面形状を略鋸歯状ではなく略蒲鉾型からなる曲面形状としてもよい。
【００３３】
また本実施形態では、装飾模様形成手段９０が、帯状の透過部５３に対応する覆い部８５領域に設けられた、突出部９１と窪み部９２とでなる鋸歯部９３からなり、かかる鋸歯部９３を設けたことで観察者に対し透過部５３を通じて縞模様Ｄを視認させる場合について説明したが、装飾模様形成手段９０の形状は、観察者が透過部５３を通じて所定の装飾模様を視認可能な形状であれば、鋸歯部９３以外のあらゆる形状を採用することが可能であり、例えば、詳細図示は省略するが、帯状の透過部５３に対応する覆い部８５領域において、透過部５３の長手方向に沿うように装飾模様形成手段９０としての四角錐形状の突出部からなる立体造形を複数個設け、観察者に対し透過部５３を通じて四角錐形状の立体造形に伴う柄模様を装飾模様として視認させるような構成としてもよい。
【００３４】
また本実施形態では、ケース体８０の覆い部８５が、周壁部８６側に向かうに従って、表示パネル５０に徐々に接近してなる例について説明したが、空間部Ｓを形成する覆い部８５と表示パネル５０（透過部５３）との間隔は一定に保つようにしてもよい。さらに、透過部５３に対応する覆い部８５領域（装飾模様形成手段９０の形成される領域）は、本実施形態のごとく湾曲形状に限らず、例えば所定の傾斜角度を有する傾斜面形状としてもよい。
【００３５】
なお、赤色光を発する表示用光源７０が点灯した場合においては、表示用光源７０からの光が、表示用光源７０の真上に位置する第１の反射部８３を通じて外周に向けて空間部Ｓ内に放射状の反射され、かかる反射光が、覆い部（第２の反射部）８５を通じて表示パネル５０側に反射され、表示部５１や透過部５３を透過照明する。すると、表示部５１（速度数字５１ａ並びに速度目盛５１ｂ）は、青色と赤色の混合色にて発光表示され、速度目盛５１ｂを除いた透過部５３箇所は、鋸歯部９３の造形に伴い赤色の縞模様Ｄにて発光表示されるから、表示用光源７０が点灯した場合においても、表示パネル５０に斬新さや面白みのある奥行き感を持たせることが可能となる。
【図面の簡単な説明】
【００３６】
【図１】本発明の実施形態による計器装置の正面図である。
【図２】図１のＡ−Ａ断面図である。
【符号の説明】
【００３７】
４０    指針
５０    表示パネル
５１    表示部
５１ａ  速度数字
５１ｂ  速度目盛
５２    背景部
５３    透過部
７０    表示用光源
８０    枠体
８５    覆い部（第２の反射部）
９０    装飾模様形成手段
９１    突出部（凸状部）
９２    窪み部（凹状部）
９３    鋸歯部（凹凸部）
Ｄ    装飾模様（縞模様）
Ｓ    空間部
【図１】
2009047560.tif 000003
【図２】
2009047560.tif 000004